(57)【要約】【課題】電子機器が通電中に浸水したか否かを検出すること。【解決手段】浸水検知システムは、浸水検知装置１００、情報収集装置２００、管理サーバ３００を有する。浸水検知システムの浸水検知装置１００は、ＡＴＭ２０が浸水したか否かの浸水の判定結果を情報収集装置２００に通知し、ＡＴＭ２０に電流が流れているか否かの電流の判定結果を情報収集装置２００に通知する。そして、情報収集装置２００は、浸水の判定結果と電流の判定結果を含む通知メールを管理サーバ３００に送信する。【選択図】図１
2014067172.tif 000002
【特許請求の範囲】
【請求項１】
電子機器の設置位置よりも高い位置に設置され、かつ、前記電子機器とは異なる電源で駆動し、前記電子機器が浸水したか否かの浸水の判定結果を情報収集装置に通知する浸水検知部と、
前記電子機器の設置位置よりも高い位置に設置され、かつ、前記電子機器とは異なる電源で駆動し、前記電子機器に電流が流れているか否かの電流の判定結果を前記情報収集装置に通知する電流検知部と
を有することを特徴とする浸水検知装置。
【請求項２】
前記電子機器の異なる位置に複数の浸水センサーがそれぞれ設置され、前記浸水検知部は、前記複数の浸水センサー毎に浸水センサーまで浸水したか否かを判定し、浸水センサー毎の浸水の判定結果を前記情報収集装置に通知することを特徴とする請求項１に記載の浸水検知装置。
【請求項３】
浸水検知装置と、情報収集装置と、管理サーバとを備えた浸水検知システムであって、
前記浸水検知装置は、
電子機器の設置位置よりも高い位置に設置され、かつ、前記電子機器とは異なる電源で駆動し、前記電子機器が浸水したか否かの浸水の判定結果を前記情報収集装置に通知する浸水検知部と、
前記電子機器の設置位置よりも高い位置に設置され、かつ、前記電子機器とは異なる電源で駆動し、前記電子機器に電流が流れているか否かの電流の判定結果を前記情報収集装置に通知する電流検知部とを有し、
前記情報収集装置は、
前記浸水検知部から通知された浸水の判定結果および前記電源検知部から通知された電流の判定結果を前記管理サーバに送信する送信部を有し、
前記管理サーバは、
前記送信部から浸水の判定結果と電流の判定結果とを受信し、受信した浸水の判定結果と電流の判定結果とを基にして、前記電子機器が通電中に浸水したか否かを判定する判定部を有する
ことを特徴とする浸水検出システム。
【発明の詳細な説明】
【技術分野】
【０００１】
本発明は、浸水検知装置等に関する。
【背景技術】
【０００２】
台風などの影響により大きな水害が発生すると、水害発生地域のオフィスや工場に設置されている電子機器が浸水してしまう場合がある。電子機器が浸水してしまうと、外観に大きな損傷がなくても、電子部品のショートや、金属の腐食が原因となり、電子機器が正常に動作しなくなる。このため、保守作業員は、浸水した全ての電子機器を交換することとなる。
【０００３】
従来、電子機器の浸水を検出する各種の従来技術が存在する。例えば、浸水センサーから電子機器までの体積から、筐体に浸水した水が電子機器に到達するまでの時間を計算して外部に通知する技術がある。
【先行技術文献】
【特許文献】
【０００４】
【特許文献１】特開２０１０−１９８０９５号公報
【特許文献２】特開２００５−９４５２６号公報
【発明の概要】
【発明が解決しようとする課題】
【０００５】
しかしながら、上述した従来技術では、電子機器が通電中に浸水したか否かを検出することができないという問題があった。
【０００６】
規模の大きな水害で、多数の電子機器が浸水した場合に、浸水した全ての電子機器を一度に交換すると、交換対象となる電子機器の数が多くなり、予備の電子機器が不足する場合がある。ここで、浸水した電子機器を交換することは大前提ではあるものの、電子機器が通電中に浸水したか否かによって対応を変えることができる。
【０００７】
例えば、通電中に電子機器が浸水した場合には、電子機器はほぼ全損であり交換が必須となる。これに対して、電源断の状態で電子機器が浸水した場合には、保守対象として品質の面からは交換必須であるが、乾燥させた後に、係る電子機器を暫定的に動作させることができる場合がある。
【０００８】
このため、多数の電子機器が浸水した場合には、通電中に浸水した電子機器を優先的に交換し、通電中に浸水しなかった電子機器を暫定的に稼働させる措置をとることで、一時的な予備の電子機器の不足を補うことが可能である。しかし、上記の従来技術では、浸水したことは判断できても、通電中に浸水したのか否かを区別することができない。
【０００９】
更に、現状では、保守作業員が現場に出動し、浸水した電子機器を乾燥した後、電子機器が動作するか否かを確認しているため、保守作業員の作業時間が長時間になっている。特に、交通の便が悪い地域に設置されたＡＴＭ（Automated  Teller  Machine）等の大型の電子機器に対して浸水による保守作業を行う場合には、保守作業員が出動して修理、交換するための作業時間が長くなり作業員にかかる負担も大きい。
【００１０】
開示の技術は、上記に鑑みてなされたものであって、電子機器が通電中に浸水したか否かを検出することができる浸水検知装置および浸水検知システムを提供することを目的とする。
【課題を解決するための手段】
【００１１】
開示の浸水検知装置は、浸水検知部と、電流検知部とを有する。浸水検知部は、電子機器の設置位置よりも高い位置に設置され、かつ、電子機器とは異なる電源で駆動し、電子機器が浸水したか否かの浸水の判定結果を情報収集装置に通知する。電流検知部は、電子機器の設置位置よりも高い位置に設置され、かつ、電子機器とは異なる電源で駆動し、電子機器に電流が流れているか否かの電流の判定結果を情報収集装置に通知する。
【発明の効果】
【００１２】
開示の浸水検知装置によれば、電子機器が通電中に浸水したか否かを検出することができるという効果を奏する。
【図面の簡単な説明】
【００１３】
【図１】図１は、本実施例に係る浸水検知システムの構成を示す図である。
【図２】図２は、ＡＴＭ、浸水検出装置、情報収集装置の各構成を示す図である。
【図３】図３は、送信部が生成する通知メールのデータ構造の一例を示す図である。
【図４】図４は、本実施例に係る管理サーバの構成を示す機能ブロック図である。
【図５】図５は、支店テーブルのデータ構造の一例を示す図である。
【図６】図６は、ＡＴＭ管理テーブルのデータ構造の一例を示す図である。
【図７】図７は、ＳＤＢ情報テーブルのデータ構造の一例を示す図である。
【図８】図８は、障害状況テーブルのデータ構造の一例を示す図である。
【図９】図９は、電源障害が発生した旨の情報の一例を示す図である。
【図１０】図１０は、通電中に浸水した旨の情報の一例を示す図である。
【図１１】図１１は、通電していない間に浸水した旨の情報の一例を示す図である。
【図１２】図１２は、集計結果の一例を示す図である。
【図１３】図１３は、本実施例に係る情報収集装置の処理手順を示すフローチャートである。
【図１４】図１４は、管理サーバの処理手順を示すフローチャート（１）である。
【図１５】図１５は、管理サーバの処理手順を示すフローチャート（２）である。
【図１６】図１６は、その他の実施例を説明するための図である。
【発明を実施するための形態】
【００１４】
以下に、本願の開示する浸水検知装置および浸水検知システムの実施例を図面に基づいて詳細に説明する。なお、この実施例によりこの発明が限定されるものではない。
【実施例】
【００１５】
本実施例に係る浸水検知システムの構成の一例について説明する。図１は、本実施例に係る浸水検知システムの構成を示す図である。図１に示すように、この浸水検知システムは、ＡＴＭ（Automated  Teller  Machine）２０、浸水検知装置１００、情報収集装置２００、管理サーバ３００を有する。情報収集装置２００および管理サーバ３００は、ネットワーク５０を介して相互に接続される。
【００１６】
このうち、ＡＴＭ２０、浸水検知装置１００、情報収集装置２００は、銀行の支店に設置されている。例えば、ＡＴＭ２０、浸水検知装置１００、情報収集装置２００は、エフサス銀行第１支店１０に設置されている。図１に示す例では、エフサス銀行第１支店１０のみを示すが、このシステムは、その他のＡＴＭ、浸水検知装置、情報収集装置を有していても良い。
【００１７】
ＡＴＭ２０は、銀行や郵便局などに設置される現金自動預け払い機である。本実施例では一例として、ＡＴＭを用いて説明を行うが、設置型の電子機器であれば、どのような電子機器であっても良い。
【００１８】
浸水検知装置１００は、ＡＴＭ２０が浸水したか否かの浸水の判定結果を情報収集装置２００に通知する。また、浸水検知装置１００は、ＡＴＭ２０に電流が流れているか否かの電流の判定結果を情報収集装置２００に通知する。
【００１９】
浸水検知装置１００は、ＡＴＭ２０の設置位置よりも高い位置に設置されているものとする。このように、浸水検知装置１００を設置することで、ＡＴＭ２０よりも浸水被害を受けにくくし、ＡＴＭ２０よりも浸水被害を受ける時間が遅くなり、ＡＴＭ２０の浸水被害時の通電状態を検出することが可能となる。
【００２０】
情報収集装置２００は、浸水検知装置１００から、浸水の判定結果および電流の判定結果を取得し、取得した浸水の判定結果および電流の判定結果を管理サーバ３００に送信する装置である。
【００２１】
管理サーバ３００は、情報収集装置２００から浸水の判定結果および電流の判定結果を受信し、受信した浸水の判定結果および電流の判定結果を基にして、ＡＴＭ２０が通電中に浸水したか否かを判定する装置である。
【００２２】
次に、図１に示した、ＡＴＭ２０、浸水検出装置１００、情報収集装置２００の構成の一例について説明する。図２は、ＡＴＭ、浸水検出装置、情報収集装置の各構成を示す図である。
【００２３】
図２において、ＡＴＭ用電源３０ａは、ＡＴＭ２０に電力を供給する電源装置である。ＡＴＭ用電源３０ａとＡＴＭ２０とは電線３１によって接続される。また、電線３１には、電力を測定するためのコード４０ｂが接続されている。コード４０ｂは、電流検知部１０３に接続される。
【００２４】
ＵＰＳ用電源３０ｂは、浸水検知装置１００および情報収集装置２００に電力を供給する電源装置である。浸水検知装置１００とＵＰＳ用電源３０ｂとは電線３２によって接続される。情報収集装置２００とＵＰＳ用電源３０ｂとは電線３３によって接続される。例えば、ＵＰＳ用電源３０ｂの設置位置は、少なくとも、ＡＴＭ用電源３０ａよりも高い位置に設置されているものとする。
【００２５】
ＡＴＭ２０は、電源部２１と制御部２２を有する。電源部２１は、ＡＴＭ用電源３０ａから電力の供給を受け、係る電力により、制御部２２に電力を供給する装置である。例えば、電源部２１の底面には、浸水コードセンサー４０ａが設置されている。浸水コードセンサー４０ａは、水を検知したか否かの情報を浸水検知部１０２に出力する浸水センサーである。
【００２６】
制御部２２は、電源部２１からの電力供給を受けて、現金自動預け払いに関する各種の処理を実行する処理部である。ＡＴＭ２０のその他の機能は、従来のＡＴＭと同様であるため、その他の説明は省略する。
【００２７】
浸水検知装置１００は、無停電電源部１０１と、浸水検知部１０２と、電流検知部１０３とを有する。無停電電源部１０１は、ＵＰＳ用電源３０ｂから電力の供給受け、係る電力により、浸水検知部１０２および電流検知部１０３に電力を供給するＵＰＳ（Uninterruptible  Power  Supply）である。無停電電源部１０１は、ＵＰＳ用電源３０ｂから電力供給が途絶えても、一定時間、浸水検知部１０２および電流検知部１０３に電力を供給する。
【００２８】
浸水検知部１０２は、浸水コードセンサー４０ａに接続され、ＡＴＭ２０が浸水したか否かを判定し、浸水の判定結果を情報収集装置２００に通知する処理部である。浸水検知部１０２は、浸水コードセンサー４０ａから水を検知した旨の情報を取得している間、デジタル値「１」を情報収集装置２００に出力する。一方、浸水検知部１０２は、浸水コードセンサー４０ａから水を検知していない旨の情報を取得している間、デジタル値「０」を情報収集装置２００に出力する。
【００２９】
電流検知部１０３は、コード４０ｂを介して、電線３１を流れる電流値をモニタリングすることで、ＡＴＭ２０に電流が流れているか否かの電流の判定結果を情報収集装置２００に通知する処理部である。電流検知部１０３は、電流値が「０Ａ」になった場合に、電流値が「０Ａ」になった旨の情報を、情報収集装置２００に通知する。一方、電流検知部１０３は、電流値が「０Ａ」よりも大きい場合には、電流値が「０Ａ」ではない旨の情報を、情報収集装置２００に通知する。
【００３０】
電流検知部１０３は、無線通信を利用して、電流の判定結果を情報収集装置２００に送信しても良い。また、電流検知部１０３は、所定時間毎に電流値を読み取り、電流の判定結果を、情報収集装置２００に送信しても良い。
【００３１】
なお、無停電電源部１０１、浸水検知部１０２、電流検知部１０３の設置位置は、少なくとも、ＡＴＭ１０の電源部２１よりも高い位置であれば良い。
【００３２】
情報収集装置２００は、通信部２０１、Ｉ／Ｏ変換部２０２、受信部２０３、制御部２０４を有する。情報収集装置２００は、ＵＰＳ用電源３０ｂから電力の供給を受けて駆動する。
【００３３】
通信部２０１は、ネットワーク５０を介して、管理サーバ３００とデータ通信を行う処理部である。後述する制御部２０４は、通信部２０１を利用して、管理サーバ３００とデータをやり取りする。例えば、通信部２０１は、通信装置に対応する。
【００３４】
Ｉ／Ｏ変換部２０２は、浸水検知部１０２から取得するデジタル値が「０」から「１」に変化した場合に、デジタル値が「１」になった旨の情報（ＳＮＭＰトラップ）を、制御部２０４に出力する。一方、Ｉ／Ｏ変換部２０２は、浸水検知部１０２から取得するデジタル値が「１」から「０」に変化した場合に、デジタル値が「０」になった旨の情報（ＳＮＭＰトラップ）を、制御部２０４に出力する。
【００３５】
受信部２０３は、電流の判定結果を電流検知部１０３から受信し、受信した電流の判定結果の情報を内部メモリに順次蓄積する。この電流の判定結果には、電流値が「０Ａ」となった旨の情報、または、電流値が「０Ａ」となっていない旨の情報が含まれる。例えば、受信部２０３は、無線通信によって、電流検知部１０３から電流の判定結果の情報を取得する。
【００３６】
制御部２０４は、送信部２０４ａを有する。制御部２０４は、例えば、ＡＳＩＣ（Application  Specific  Integrated  Circuit）や、ＦＰＧＡ（Field  Programmable  Gate  Array）などの集積装置に対応する。また、制御部２０４は、例えば、ＣＰＵやＭＰＵ（Micro  Processing  Unit）等の電子回路に対応する。
【００３７】
送信部２０４ａは、浸水検知装置１００から通知された浸水の判定結果および電流の判定結果を、管理サーバ３００に送信する処理部である。例えば、送信部２０４は、浸水検知部１０２から出力されるデジタル値が「０」から「１」に変化した場合に、通知メールを生成し、通知メールを管理サーバ３００に送信する。
【００３８】
図３は、送信部が生成する通知メールのデータ構造の一例を示す図である。図３に示すように、この通知メールには、送信先メールアドレス、送信元メールアドレス、文言情報、電流値情報が含まれる。送信先メールアドレスには、例えば、管理サーバ３００のメールアドレスが格納される。送信元メールアドレスには、情報収集装置２００のメールアドレスが格納される。文言情報には、各種の文言が格納される。電流値情報には、ＡＴＭ２０に流れる電流値の情報が格納される。なお、送信部は、ＡＴＭを一意に識別するＡＴＭシリアル番号や、情報収集装置２００を識別するＳＤＢシリアル番号を、通知メールに含ませても良い。
【００３９】
送信部２０４ａが通知メールを生成する場合の処理の一例について説明する。送信部２０４ａは、Ｉ／Ｏ変換部２０２からデジタル値が「０」から「１」に変化した場合に、通知メールの文言情報に「浸水しました」なる文言を格納する。また、送信部２０４ａは、受信部２０３にアクセスし、最新の電流値の情報を取得し、取得した電流値の情報を通知メールの電流値情報に格納する。
【００４０】
送信部２０４ａは、最新の電流値の情報を参照し、電流値が「０Ａ」である場合には、通知メールの文言情報に「０Ａになりました」なる文言を格納する。
【００４１】
送信部２０４ａは、通知メールの送信先メールアドレスに、管理サーバ３００のメールアドレスを格納し、送信元メールアドレスに、情報収集装置２００のメールアドレスを格納し、通知メールを管理サーバ３００に送信する。
【００４２】
ところで、送信部２０４ａは、デジタル値が「０」から「１」に変化しない場合であっても、所定の時間間隔で通知メールを管理サーバ３００に送信しても良い。この場合には、例えば、送信部２０４ａは、受信部２０３にアクセスし、最新の電流値の情報を取得し、取得した電流値の情報を通知メールの電流値情報に格納する。また、送信部２０４ａは、最新の電流値の情報を参照し、電流値が「０Ａ」である場合には、通知メールの文言情報に「０Ａになりました」なる文言を格納する。通知メールの送信先メールアドレスおよび送信元メールアドレスに格納される情報、ＡＴＭシリアル番号に格納される情報は、上記の説明と同様である。
【００４３】
次に、図１に示した管理サーバ３００の構成について説明する。図４は、本実施例に係る管理サーバの構成を示す機能ブロック図である。図４に示すように、管理サーバ３００は、通信部３０１、入力部３０２、表示部３０３、記憶部３０４、制御部３０５を有する。
【００４４】
通信部３０１は、ネットワーク５０を介して、情報収集装置２００あるいは他の情報収集装置との間でデータ通信を行う処理部である。後述する制御部３０５は、通信部３０１を介して、情報収集装置２００あるいは他の情報収集装置との間でデータをやり取りする。通知部３０１は、通信装置に対応する。
【００４５】
入力部３０２は、管理サーバ３００に各種の情報を入力する入力装置である。例えば、入力部３０２は、キーボードやマウス、タッチパネル等に対応する。表示部３０３は、制御部３０５から出力される各種の情報を表示する表示装置である。表示部３０３は、例えば、ディスプレイやタッチパネルに対応する。
【００４６】
記憶部３０４は、支店テーブル３０４ａ、ＡＴＭ管理テーブル３０４ｂ、ＳＤＢ情報テーブル３０４ｃ、障害状況テーブル３０４ｄを記憶する記憶部である。記憶部３０４は、例えば、ＲＡＭ（Random  Access  Memory）、ＲＯＭ（Read  Only  Memory）、フラッシュメモリ（Flash  Memory）などの半導体メモリ素子などの記憶装置に対応する。
【００４７】
支店テーブル３０４ａは、各銀行の支店に関する各種の情報を保持するテーブルである。図５は、支店テーブルのデータ構造の一例を示す図である。図５に示すように、この支店テーブル３０４ａは、支店番号、支店名、住所、ＡＴＭ営業開始時間、ＡＴＭ営業終了時間を対応付ける。このうち、支店番号は、支店を一意に識別する情報である。ＡＴＭ営業開始時間は、ＡＴＭによるサービスを開始する時間である。ＡＴＭ営業終了時間は、ＡＴＭによるサービスを終了する時間である。
【００４８】
ＡＴＭ管理テーブル３０４ｂは、ＡＴＭに関する各種の情報を保持するテーブルである。図６は、ＡＴＭ管理テーブルのデータ構造の一例を示す図である。図６に示すように、このＡＴＭ管理テーブル３０４ｂは、ＡＴＭシリアル番号、機種番号、機種名、Ｆ型、支店番号を対応付ける。ＡＴＭシリアル番号は、ＡＴＭを一意に識別する情報である。機種番号は、ＡＴＭの機種を一意に識別する情報である。機種名は、機種の名称である。Ｆ型は、メーカの型番である。支店番号は、該当するＡＴＭが設置される支店を一意に識別する情報である。
【００４９】
ＳＤＢ情報テーブル３０４ｃは、情報収集装置２００に関する各種の情報を保持するテーブルである。図７は、ＳＤＢ情報テーブルのデータ構造の一例を示す図である。図７に示すように、このＳＤＢ情報テーブル３０４ｃは、ホスト名、登録メールアドレス、支店番号、機種番号、ＳＤＢシリアル番号、ＡＴＭシリアル番号、電源ＯＮを対応付ける。ホスト名は、情報収集装置の名称である。ＳＤＢシリアル番号は、情報収集装置を一意に識別する情報である。電源ＯＮは、ＡＴＭに電流が流れているか否かを示す情報である。電源ＯＮの値が「１」の場合には、ＡＴＭに電流が流れていることを示す。電源ＯＮの値が「０」の場合には、ＡＴＭに電流が流れていないことを示す。機種番号およびＡＴＭシリアル番号に関する説明は、上記のものと同様である。
【００５０】
障害状況テーブル３０４ｄは、ＡＴＭの障害状況に関する情報を保持するテーブルである。図８は、障害状況テーブルのデータ構造の一例を示す図である。図８に示すように、障害状況テーブル３０４ｄは、項、ホスト名、ＳＤＢシリアル番号、支店番号、機種番号、Ｆ型、ＡＴＭシリアル番号、電源ＯＮ、浸水、通知時間を対応付ける。項は、各レコードを識別する情報である。浸水は、ＡＴＭが浸水したか否かを示す情報である。例えば、浸水が「１」の場合には、ＡＴＭが浸水したことを示す。浸水が「０」の場合には、ＡＴＭが浸水していないことを示す。通知時間は、通知メールを受信した時間である。その他の項目は、上述したものと同様である。
【００５１】
図８において、例えば、電源ＯＮが「１」となり、かつ、浸水が「１」となる場合には、該当するＡＴＭが通電中に浸水したことを示す。これに対して、電源ＯＮが「０」となり、かつ、浸水が「１」となる場合には、該当するＡＴＭは浸水したが、通電していなかったことを示す。
【００５２】
制御部３０５は、判定部３０５ａおよび集計部３０５ｂを有する。制御部３０５は、例えば、ＡＳＩＣや、ＦＰＧＡなどの集積装置に対応する。また、制御部３０５は、例えば、ＣＰＵやＭＰＵ等の電子回路に対応する。
【００５３】
判定部３０５ａは、情報収集装置２００から通知メールを受信し、ＡＴＭ２０が通電中に浸水したか否かを判定する処理部である。以下において、判定部３０５ａの処理を具体的に説明する。
【００５４】
判定部３０５ａは、通知メールの送信元アドレスと、ＳＤＢ情報テーブル３０４ｃとを比較して、ＡＴＭシリアル番号を特定する。例えば、通知メールの送信元アドレスが「ｓｄｂ−１００１＠ｘｘｘｘ．ｊｐ」の場合には、図７より、ＡＴＭシリアル番号は「１００１」となる。
【００５５】
また、判定部３０５ａは、通知メールの電流値情報を基にして、ＳＤＢ情報テーブル３０４ｃの電源ＯＮの項目の値を更新する。判定部３０５ａは、電流値情報に電流が「０Ａ」である旨の情報が含まれる場合には、電源ＯＮの項目を「０」に更新する。判定部３０５ａは、電流値情報に電流が「０Ａ」ではない旨の情報が含まれる場合には、電源ＯＮの項目を「１」に更新する。
【００５６】
続いて、判定部３０５ａは、通知メールの文言情報に「浸水しました」なる文言が含まれるか否かを判定する。
【００５７】
文言情報に「浸水しました」なる文言が含まれない場合の、判定部３０５ａの処理について説明する。判定部３０５ａは、文言情報に、「０Ａになりました」なる文言が含まれるか否かを判定する。判定部３０５ａは、文言情報に「０Ａになりました」なる文言が含まれない場合には、処理を終了する。
【００５８】
これに対して、判定部３０５ａは、文言情報に「０Ａになりました」なる文言が含まれる場合には、支店テーブル３０４ａ、ＡＴＭ管理テーブル３０４ｂを参照し、通知メールの受信時刻が、該当するＡＴＭを設置する支店の営業時間内であるか否かを判定する。
【００５９】
例えば、該当するＡＴＭシリアル番号が「１００１」の場合には、図６のＡＴＭ管理テーブル３０４ｂより、支店番号は「１０」となる。そして、図５の支店管理テーブル３０４ａより、支店番号「１０」のＡＴＭの営業時間は「８時３０分」〜「１７時３０分」となる。このため、通知メールを受信した時刻が、「８時３０分」〜「１７時３０分」に含まれれば、支店の営業時間内であると判定する。
【００６０】
判定部３０５ａは、支店の営業時間外であると判定した場合には、障害状況テーブル３０４ｄに、通知メールの送信元となる情報収集装置の情報が含まれているか否かを判定する。判定部３０５ａは、通知メールの送信元となる情報収集装置の情報が含まれている場合には、障害状況確認処理を実行する。
【００６１】
判定部３０５ａが実行する障害状況確認処理について説明する。例えば、判定部３０５ａは、障害状況テーブル３０４ｄと、通知メールの送信元となる情報収集装置のＳＤＢシリアル番号とを比較して、浸水の項目を参照し、ＡＴＭが浸水しているか否かを判定する。そして、判定部３０５ａは、判定結果を表示部３０３に表示する。
【００６２】
これに対して、判定部３０５ａは、支店の営業時間内であると判定した場合には、障害状況テーブル３０４ｄにレコードを追加し、電源ＯＮの項目を「０」に設定し、浸水の項目を「０」に設定する。また、判定部３０５ａは、ＳＤＢ情報テーブル３０４ｃの該当するレコードについて、電源ＯＮの項目を「０」に設定する。そして、判定部３０５ａは、電源障害が発生した旨の情報を表示部３０３に表示する。
【００６３】
図９は、電源障害が発生した旨の情報の一例を示す図である。図９に示すように、例えば、電源障害が発生した旨の情報には、電源障害が発生した旨の情報以外に、支店名、ＡＴＭシリアル番号、機種名、Ｆ型等を含んでいても良い。
【００６４】
次に、文言情報に「浸水しました」なる文言が含まれる場合の、判定部３０５ａの処理について説明する。判定部３０５ａは、障害状況テーブル３０４ｄにレコードを追加し、浸水の項目を「１」に設定する。そして、判定部３０５ａは、ＳＤＢ情報テーブルの電源ＯＮの項目が「１」であるか否かを判定する。
【００６５】
判定部３０５ａは、ＳＤＢ情報テーブルの電源ＯＮの項目が「１」である場合には、通知メールによって特定される支店のＡＴＭが通電中に浸水したと判定する。判定部３０５ａは、通電中に浸水した旨の情報を表示部３０３に表示する。
【００６６】
図１０は、通電中に浸水した旨の情報の一例を示す図である。図１０に示すように、例えば、通電中に浸水した旨の情報には、通電中に浸水した旨の情報以外に、支店名、ＡＴＭシリアル番号、機種名、Ｆ型等を含んでいても良い。
【００６７】
これに対して、判定部３０５ａは、ＳＤＢ情報テーブルの電源ＯＮの項目が「０」である場合には、通知メールによって特定される支店のＡＴＭが通電していない間に浸水したと判定する。判定部３０５ａは、通電していない間に浸水した旨の情報を表示部３０３に表示する。
【００６８】
図１１は、通電していない間に浸水した旨の情報の一例を示す図である。図１１に示すように、例えば、通電していない間に浸水した旨の情報には、通電していない間に浸水した旨の情報以外に、支店名、ＡＴＭシリアル番号、機種名、Ｆ型等を含んでいても良い。
【００６９】
集計部３０５ｂは、障害状況テーブル３０４ｄを基にして、通電中に浸水したＡＴＭの台数と、通電していない間に浸水したＡＴＭの台数を集計する処理部である。集計部３０５ｂは、支店毎に集計を行っても良いし、ＡＴＭの機種番号毎に集計を行っても良い。集計部３０５ｂは、集計結果を表示部３０３に表示する。
【００７０】
集計部３０５ｂは、障害状況テーブル３０４ｄの電源ＯＮの項目が「１」となり、浸水の項目が「１」となるレコードは、通電中に浸水したものであると判定する。これに対して、集計部３０５ｂは、障害状況テーブル３０４ｄの電源ＯＮの項目が「０」となり、浸水の項目が「１」となるレコードは、通電していない間に浸水したものであると判定する。図１２は、集計結果の一例を示す図である。図１２に示す例では、支店毎に集計を行った結果と、ＡＴＭの機種番号毎に集計を行った結果を示している。
【００７１】
次に、本実施例に係る情報収集装置２００の処理手順の一例について説明する。図１３は、本実施例に係る情報収集装置の処理手順を示すフローチャートである。図１３に示すように、情報収集装置２００は、浸水検知部１０２からのデジタル値が「０」から「１」に変化したか否かを判定する（ステップＳ１０１）。
【００７２】
情報収集装置２００は、デジタル値が「０」から「１」に変化していない場合に（ステップＳ１０１，Ｎｏ）、ステップＳ１０３に移行する。
【００７３】
一方、情報収集装置２００は、デジタル値が「０」から「１」に変化した場合には（ステップＳ１０１，Ｙｅｓ）、通知メールの文言情報に「浸水しました」を格納する（ステップＳ１０２）。
【００７４】
情報収集装置２００は、ＡＴＭが通電中か否かを判定する（ステップＳ１０３）。情報収集装置２００は、ＡＴＭが通電中の場合には（ステップＳ１０３，Ｙｅｓ）、ステップＳ１０５に移行する。
【００７５】
一方、情報収集装置２００は、ＡＴＭが通電中ではない場合には（ステップＳ１０３，Ｎｏ）、通知メールの文言情報に「０Ａになりました」を格納し（ステップＳ１０４）、ステップＳ１０５に移行する。
【００７６】
情報収集装置２００は、通知メールの電流値情報に電流値の情報を格納する（ステップＳ１０５）。情報収集装置２００は、通知メールの送信元メールアドレスに自身の登録メールアドレスを格納する（ステップＳ１０６）。情報収集装置２００は、管理サーバ３００に、通知メールを送信する（ステップＳ１０７）。
【００７７】
なお、図１３に示した処理は一例である。情報収集装置２００は、所定の時間間隔で、通知メールを送信する処理を行っても良いし、デジタル値が「１」から「０」に変化したことを契機にして、通知メールを送信する処理を行っても良い。通知メールに格納する各情報は、上述した送信部２０４ａの説明に従うものとする。
【００７８】
次に、本実施例に係る管理サーバ３００の処理手順の一例について説明する。図１４、図１５は、管理サーバの処理手順を示すフローチャートである。図１４に示すように、管理サーバ３００は、情報収集装置２００から通知メールを受信し（ステップＳ２０１）、通知メールの送信元を基にして、対象となるＡＴＭを判定する（ステップＳ２０２）。
【００７９】
管理サーバ３００は、通知メールに所定の文言が含まれるか否かを判定する（ステップＳ２０３）。管理サーバ３００は、通知メールに所定の文言が含まれない場合には（ステップＳ２０３，Ｎｏ）、処理を終了する。
【００８０】
一方、管理サーバ３００は、通知メールに所定の文言が含まれている場合には（ステップＳ２０３，Ｙｅｓ）、通知メールの文言が「浸水しました」であるか否かを判定する（ステップＳ２０４）。管理サーバ３００は、通知メールの文言が「浸水しました」である場合には（ステップＳ２０４，Ｙｅｓ）、図１５のステップＳ２１２に移行する。
【００８１】
一方、管理サーバ３００は、通知メールの文言が「浸水しました」でない場合には（ステップＳ２０４，Ｎｏ）、通知メールの文言が「０Ａになりました」であるか否かを判定する（ステップＳ２０５）。管理サーバ３００は、通知メールの文言が「０Ａになりました」ではない場合には（ステップＳ２０５，Ｎｏ）、処理を終了する。
【００８２】
一方、管理サーバ３００は、通知メールの文言が「０Ａになりました」である場合には（ステップＳ２０５，Ｙｅｓ）、ＡＴＭが設置される支店の営業時間内であるか否かを判定する（ステップＳ２０６）。管理サーバ３００は、ＡＴＭが設置される支店の営業時間内である場合には（ステップＳ２０６，Ｙｅｓ）、障害状況テーブル３０４ｄにレコードを追加し、電源ＯＮの項目を「０」に設定する（ステップＳ２０７）。
【００８３】
管理サーバ３００は、ＳＤＢ情報テーブル３０４ｃの該当するレコードについて、電源ＯＮの項目を「０」に設定する（ステップＳ２０８）。管理サーバ３００は、電源障害が発生した旨の情報を出力する（ステップＳ２０９）。ステップＳ２０９において、管理サーバ３００は、例えば、図９に示した情報を、表示部３０３に表示させる。
【００８４】
一方、管理サーバ３００は、ステップＳ２０６において、ＡＴＭが設置される支店の営業時間外である場合には（ステップＳ２０６，Ｎｏ）、障害状況テーブル３０４ｄに通知メールの送信元となる情報収集装置の情報が含まれるか否かを判定する（ステップＳ２１０）。管理サーバ３００は、障害状況テーブル３０４ｄに通知メールの送信元となる情報収集装置の情報が含まれない場合には（ステップＳ２１０，Ｎｏ）、処理を終了する。一方、管理サーバ３００は、障害状況テーブル３０４ｄに通知メールの送信元となる情報収集装置の情報が含まれる場合には（ステップＳ２１０，Ｙｅｓ）、障害状況確認処理を実行する（ステップＳ２１１）。ステップＳ２１１において、管理サーバ３００は、例えば、障害状況テーブル３０４ｄと、通知メールの送信元となる情報収集装置のＳＤＢシリアル番号とを比較して、浸水の項目を参照し、ＡＴＭが浸水しているか否かを判定する。そして、管理サーバ３００は、判定結果を表示部３０３に表示する。
【００８５】
続いて、図１５の説明に移行する。管理サーバ３００は、障害状況テーブル３０４ｄにレコードを追加し、浸水の項目を「１」に設定する（ステップＳ２１２）。管理サーバ３００は、ＳＤＢ情報テーブル３０４ｃの電源ＯＮの項目が「１」であるか否かを判定する（ステップＳ２１３）。
【００８６】
管理サーバ３００は、ＳＤＢ管理テーブル３０４ｃの電源ＯＮの項目が「１」である場合には（ステップＳ２１３，Ｙｅｓ）、通電中に浸水した旨の情報を表示し（ステップＳ２１４）、ステップＳ２１６に移行する。ステップＳ２１４において、管理サーバ３００は、図１０に示した情報を、表示部３０３に表示させる。
【００８７】
一方、管理サーバ３００は、ＳＤＢ管理テーブル３０４ｃの電源ＯＮの項目が「０」である場合には（ステップＳ２１３，Ｎｏ）、通電していない間に浸水した旨の情報を表示し（ステップＳ２１５）、ステップＳ２１６に移行する。ステップＳ２１５において、管理サーバ３００は、図１１に示した情報を、表示部３０３に表示させる。
【００８８】
そして、管理サーバ３００は、集計処理を実行する（ステップＳ２１６）。ステップＳ２１６において、管理サーバ３００は、例えば、通電中に浸水したＡＴＭの台数と、通電していない間に浸水したＡＴＭの台数を集計する。そして、管理サーバ３００は、図１２に示した情報を、表示部３０３に表示させる。
【００８９】
次に、本実施例に係る浸水検知システムの効果について説明する。浸水検知システムでは、浸水検知装置１００が、ＡＴＭ２０が浸水したか否かの浸水の判定結果を情報収集装置２００に通知し、ＡＴＭ２０に電流が流れているか否かの電流の判定結果を情報収集装置２００に通知する。そして、情報収集装置２００は、浸水の判定結果と電流の判定結果を含む通知メールを管理サーバ３００に送信する。このため、浸水検知システムによれば、電子機器が通電中に浸水したか否かを検出することができる。
【００９０】
また、浸水検知装置１００は、ＡＴＭ２０とは異なる電源で駆動し、ＡＴＭ２０の設置位置よりも高い位置に設置されているため、ＡＴＭ２０より浸水被害を受けにくくし、またはＡＴＭ２０よりも浸水被害を受ける時間を遅くすることで、電子機器の浸水被害時の電子機器の通電状態を検出することができる。
【００９１】
また、浸水検知システムによれは、保守作業員が管理サーバ３００を利用することで、例えば、遠隔地にある電子機器を直接見にいかなくても、電子機器が何台、どのような状態で浸水被害にあっているかを把握することができる。例えば、被害にあった地域の電子機器の対処法を迅速に判断することができる。すなわち、保守作業員は、被害がないのか、暫定的に可動させることが可能であるのか、交換必須であるのかといったことを判断することができる。
【００９２】
ところで、本実施例において説明した各処理のうち、自動的に行われるものとして説明した処理の全部または一部を手動的に行うこともでき、あるいは、手動的に行われるものとして説明した処理の全部あるいは一部を公知の方法で自動的に行うこともできる。この他、上記文書中や図面中で示した処理手順、制御手順、具体的名称、各種のデータやパラメータを含む情報については、特記する場合を除いて任意に変更することができる。
【００９３】
さらに、各装置にて行われる各処理機能は、その全部または任意の一部がＣＰＵおよび当該ＣＰＵにて解析実行されるプログラムにて実現され、あるいは、ワイヤードロジックによるハードウェアとして実現され得る。
【００９４】
また、上述した浸水検知システムの実施例は一例である。以下では、浸水検知システムのその他の実施例について説明する。図１６は、その他の実施例を説明するための図である。図１６に示すように、浸水検知装置１００は、浸水センサーの設置位置が異なる複数の浸水コードセンサー４０ａ，４０ｃに接続されている。例えば、浸水コードセンサー４０ａは、電源部２１の底面の位置の水を検出する。浸水コードセンサー４０ｃは、制御部２２の底面の位置の水を検知する。
【００９５】
浸水検知部１０２は、浸水コードセンサー４０ｃが水を検知した場合に、第１のデジタル値「１」を、情報収集装置２００に出力し、浸水コードセンサー４０ｃが水を検知していない場合に、第１のデジタル値「０」を、情報収集装置２００に出力する。
【００９６】
また、浸水検知部１０２は、浸水コードセンサー４０ｂが水を検知した場合に、第２のデジタル値「１」を、情報収集装置２００に出力し、浸水コードセンサー４０ｂが水を検知していない場合に、第２のデジタル値「０」を、情報収集装置２００に出力する。
【００９７】
情報収集装置２００は、第１、第２のデジタル値の情報と、電流の判定結果の情報を含む通知メールを、管理サーバ３００に送信する。そして、管理サーバ２００は、通知メールを基にして、ＡＴＭに含まれる部品毎に、通電中に浸水したか否かを判定し、判定結果を表示部３０３に出力する。
【００９８】
例えば、管理サーバ２００は、第１のデジタル値が「１」となり、電流が流れている場合には、電源部２１が、通電中に浸水したと判定する。また、管理サーバ２００は、第１のデジタル値が「０」となり、電流が流れていない場合には、電源部２１が通電していない間に浸水したと判定する。
【００９９】
管理サーバ２００は、第２のデジタル値が「１」となり、電流が流れている場合には、制御部２２が、通電中に浸水したと判定する。また、管理サーバ２００は、第２のデジタル値が「０」となり、電流が流れていない場合には、制御部２２が通電していない間に浸水したと判定する。
【０１００】
上記のような処理を実行することで、保守作業員は、電子機器に含まれる部品毎に、交換が必須か、暫定的駆動することが可能であるか否かを判定することができる。
【符号の説明】
【０１０１】
１０  エフサス銀行第１支店
２０  ＡＴＭ
１００  浸水検知装置
２００  情報収集装置
３００  管理サーバ
【図１】
2014067172.tif 000003
【図２】
2014067172.tif 000004
【図３】
2014067172.tif 000005
【図４】
2014067172.tif 000006
【図５】
2014067172.tif 000007
【図６】
2014067172.tif 000008
【図７】
2014067172.tif 000009
【図８】
2014067172.tif 000010
【図９】
2014067172.tif 000011
【図１０】
2014067172.tif 000012
【図１１】
2014067172.tif 000013
【図１２】
2014067172.tif 000014
【図１３】
2014067172.tif 000015
【図１４】
2014067172.tif 000016
【図１５】
2014067172.tif 000017
【図１６】
2014067172.tif 000018